(57)【特許請求の範囲】
【請求項１】
光源から出射された光束を変調した後に投写レンズで拡大投写して投写画像を形成するプロジェクタであって、前記投写レンズの側方の外装ケース側面部には冷却空気を吸い込む吸気口が設けられ、前記投写レンズの下方には吸気用のシロッコファンが設けられ、このシロッコファンの吸込口は前記投写レンズと対向しており、
前記シロッコファンの吐出口と前記光束を変調する光変調装置の下方との間には上方に開口した椀形状の吐出側ダクトが設けられており、前記吐出側ダクトには、前記シロッコファンから吐き出された冷却空気の流れの向きを鉛直方向に変える滑らかな曲面状に形成された方向変換部が設けられていることを特徴とするプロジェクタ。
【請求項２】
請求項１に記載のプロジェクタにおいて、前記吸気口と前記シロッコファンの吸込口との間には吸込側ダクトが設けられていることを特徴とするプロジェクタ。
【請求項３】
請求項２に記載のプロジェクタにおいて、前記吸込側ダクトと、前記吐出側ダクトが一体に形成されていることを特徴とするプロジェクタ。
【請求項４】
請求項２ないし請求項３のいずれかに記載のプロジェクタにおいて、いずれかの前記ダクトには、前記投写レンズの周面と近接対向する凹部が設けられていることを特徴とするプロジェクタ。
【発明の詳細な説明】
【０００１】
【発明の属する技術分野】
本発明は、光源から出射された光束を変調した後に投写レンズで拡大投写して投写画像を形成するプロジェクタに関する。
【０００２】
【背景技術】
近年、プロジェクタを使用する環境が拡がりつつあり、社内会議や出張先でのプレゼンテーションなどで用いられる他、ＣＡＤ／ＣＡＭ／ＣＡＥのデータを取り込んで拡大投写することで、研究開発部門等での技術検討会に用いられたり、各種セミナーや研修会、さらには視聴覚教育を行う学校の授業でも用いられている。また、ＣＴスキャンやＭＲＩなどの医療画像やデータを投写し、治療法の検討、医療指導などに役立てたり、展示会や大勢が集まるイベントなどを効果的に演出するのにも用いられる。
【０００３】
このように、あらるゆる環境でプロジェクタが用いられる現在では、プロジェクタに求められる仕様・機能も様々であり、携帯性を追求した軽量コンパクトモデル、画像品質を追求した高輝度モデルおよび高解像度モデル、各デジタル機器やモバイルツールとの接続を可能にした高機能モデルなどがある。
そして、使用される環境のさらなる拡大が予想されることから、新たな使用環境を想定したより高付加価値のプロジェクタの開発が盛んに行われている。
【０００４】
【発明が解決しようとする課題】
そのような中にあって、プロジェクタ内部を汚染から保護するための開発が行われている。とりわけ内部の各種光学系の部品は、良好な画像品質を確保するうえで塵や埃等からできるだけ保護する必要があり、従って、それらの部品を冷却する冷却用空気の防塵対策が重要となる。
また、冷却用のファンとして専ら使用される軸流ファンは、冷却の対象となる内部部品に近接させて配置する必要があるので、プロジェクタ内での配置位置が限定される場合が多い。このため、ファンを含めた内部部品のレイアウト設計の自由度が少なく、プロジェクタの小型化を阻害しているという問題もある。
また、従来のプロジェクタは、吸気口が外装ケースの底面部や上面部に設けられることが多い。したがって、プロジェクタの設置箇所上にある塵や埃を底面部から吸い込んだり、外装ケースの上面部にたまる塵、埃を吸い込んだりし易かった。さらに、軸流ファンを用いて底面部や上面部から吸気を行なうため、吸気に伴う空気抵抗が発生しやすかった。したがって、フット等によって本体と設置面との間に比較的広い隙間を確保することが必要となり、装置高さの低減、ひいてはプロジェクタの小型化を阻害してしまうという問題もあった。
【０００５】
本発明の目的は、防塵性能を確保できるとともに、コストを削減でき、かつ小型化を促進できるプロジェクタを提供することにある。
【０００６】
【課題を解決するための手段】
本発明の請求項１のプロジェクタは、光源から出射された光束を変調した後に投写レンズで拡大投写して投写画像を形成するプロジェクタであって、前記投写レンズの側方の外装ケース側面部には冷却空気を吸い込む吸気口が設けられ、投写レンズの下方には吸気用のシロッコファンが設けられ、このシロッコファンの吸込口は前記投写レンズと対向しており、前記シロッコファンの吐出口と前記光束を変調する光変調装置の下方との間には上方に開口した椀形状の吐出側ダクトが設けられており、前記吐出側ダクトには、前記シロッコファンから吐き出された冷却空気の流れの向きを鉛直方向に変える滑らかな曲面状に形成された方向変換部が設けられていることを特徴とする。
【０００７】
本発明の構成では、吸気口を外装ケースの側面部に設けるので、プロジェクタの設置箇所上の塵、埃を吸い込む可能性が低くなり、また、塵、埃が吸気口回りに付着し難くなり、吸気口にフィルターを取り付けなくとも防塵性能が確保される。また、フィルターを付けた場合でも、塵、埃が吸気口回りに付着し難いのでフィルターの交換をする回数を減らすことが可能となり、場合によっては交換をする必要をなくすことが可能となる。フィルターの交換をする必要がなくなれば、フィルターの交換構造は不要となる。
フィルターもしくは交換構造が不要になれば、部品点数が低減するうえ、吸気口回りの構造も簡略化され、コスト削減が図れる。
【０００８】
また、吸気口を外装ケースの側面部に設け、シロッコファンの吸気口を投写レンズと対向させているため、吸気に伴う空気抵抗を低減することができ、装置の小型化を促進することが可能となる。さらに、余剰スペースになり易い投写レンズの下方のスペースにシロッコファンを設けるから、配置スペースの有効利用が図れるとともに、他の内部部品のレイアウト設計の自由度が増し、プロジェクタの小型化が促進される。また、上方に開口した椀形状で、滑らかな曲面状に形成された冷却空気の流れの向きを鉛直方向に変える方向変換部を備えた吐出側ダクトを設けることにより、冷却空気がシロッコファンの吐出口から光変調装置へ冷却空気の流れの方向が確実に変えられて、冷却空気が漏れなくスムーズに流れるようになり、ノイズ等の発生が抑えられる。
【０００９】
本発明のプロジェクタでは、前記吸気口と前記シロッコファンの吸込口との間に吸込側ダクトが設けられていることが好ましい。吸込側ダクトを設けることにより、シロッコファンの吸込口へ冷却空気が効率よく流入し、内部部品の冷却効率が向上する。
【００１１】
本発明のプロジェクタでは、前記吸気口と前記シロッコファンの吸込口との間に吸込側ダクトが設けられ、前記シロッコファンの吐出口と前記光束を変調する光変調装置の上方または下方との間に吐出側ダクトが設けられ、これらのダクトが一体に形成されていることが好ましい。このような構成によれば、冷却効率が向上するのに加え、一体のダクトを用いるので、その取扱性が向上し、プロジェクタ内への組付が容易になる。
【００１４】
さらに、いずれかの前記ダクトには、前記投写レンズの周面と近接対向する凹部が設けられていることが好ましい。
投写レンズは一般に円柱状であるから、その周面に近接してシロッコファンを配置した場合でも、シロッコファンと投写レンズと間には隙間が生じる。このような隙間の形状に対応した凹部をダクトに設け、投写レンズに近接対向させれば、シロッコファンの吸込口近傍の空間がダクト内空間の一部として確実に確保され、冷却空気がシロッコファンの吸込口へ無理なく流入するようになる。
【００１５】
【発明の実施の形態】
以下、本発明の一実施形態を図面に基づいて説明する。
【００１６】
〔１．プロジェクタの主な構成〕
図１は、本実施形態に係るプロジェクタ１を上方から見た全体斜視図、図２は、プロジェクタ１を下方から見た全体斜視図、図３は、プロジェクタ１の内部を示す斜視図である。
図１ないし図３において、プロジェクタ１は、外装ケース２と、外装ケース２内に収容された電源ユニット３と、同じく外装ケース２内に配置された平面Ｌ字形の光学ユニット４とを備えている。
【００１７】
外装ケース２は、図４に示すように、合成樹脂製のアッパーケース２１と、アルミニウム等の金属製のロアーケース２２と、同じくアルミニウム等の金属製のフロントケース２３とで構成されている。これらのケース２１、２２、２３は、互いにネジで固定されている。
【００１８】
アッパーケース２１は、上面部２１１および背面部２１２が一体成形された形状である。
上面部２１１の内部側には、アルミニウム板のパンチング加工による多孔状の第１電磁遮蔽部材２１３が取り外し可能に設けられている。アッパーケース２１の背面部２１２の内部側にも、アルミニウム板からなる第２電磁遮蔽部材２１４が設けられている。第２電磁遮蔽部材２１４は、ロアーケース２２側にネジ止めされている。
【００１９】
ロアーケース２２は、底面部２２１および対向し合う一対の側面部２２２が一体に形成された形状であり、プレスやマシニングセンタ等で加工された所定形状のアルミニウム板等を曲げ加工することで、底面部２２１および側面部２２２が互いに折曲して形成されている。
【００２０】
底面部２２１の前方の両隅部分には、プロジェクタ１全体の傾きを調整して投写画像の位置合わせを行う高さ位置調整機構７が設けられている。これに対して底面部２２１の後方側中央部には、樹脂製のフット部材６（図２）が嵌合しているのみである。
【００２１】
フロントケース２３は、外装ケース２の前面部２３１を形成する部材であり、やはりプレスやマシニングセンタ等で加工された所定形状のアルミニウム板等の曲げ加工あるいは絞り加工によって形成されている。この フロントケース２３には投写レンズ４６に対応して丸孔開口２３２が設けられ、丸孔開口２３２の周辺は絞り加工によって内部側に湾曲している。
【００２２】
このような外装ケース２には、内部に冷却空気を取り入れるための吸気口２Ａ，２Ｂ，２Ｃ、および内部から冷却空気を排出するための排気口２Ｄ，２Ｅの他、操作パネル２Ｆや、スピーカの位置に対応した多数の孔２Ｇ等が設けられている。また、外装ケース２の背面側には、インターフェース用の種々のコネクタが露出しており。各コネクタがマウントされるドライバーボードや他のボードは、背面側の開口部分を塞ぐように固定されたアルミ板５０に支持されるようになっている。このアルミ板５０は、電磁遮蔽板としても機能する。
【００２３】
電源ユニット３は、外装ケース２（図３）内の前面側に配置された主電源３１と、主電源３１の後方に配置されたバラスト３２とで構成されている。主電源３１は、電源ケーブルを通して供給された電力をバラスト３２や図示しないドライバーボード（電子回路基板）等に供給するものであり、前記電源ケーブルが差し込まれるインレットコネクタ３３（図２）、周囲を囲むアルミニウム製のフレーム３４、図示しない電源回路等を備えている。
バラスト３２は、電力を主に光学ユニット４の光源ランプ（後述）に供給するものであり、ランプ駆動回路を備えている。
【００２４】
光学ユニット４は、図５に示すように、インテグレータ照明光学系４１、色分離光学系４２、リレー光学系４３、電気光学装置４４、色合成光学系としてのクロスダイクロイックプリズム４５、および投写光学系としての投写レンズ４６を備えている。
【００２５】
〔２．光学系の詳細な構成〕
図５において、インテグレータ照明光学系４１は、光源ランプ４１１およびリフレクタ４１２を含む光源装置４１３と、第１レンズアレイ４１４と、偏光変換素子４１５と、第２レンズアレイ４１６とを備えている。光源ランプ４１１から射出された光束は、リフレクタ４１２によって集光点に集光するように反射した後、集光点までの途中位置に配置された第１レンズアレイ４１４によって複数の部分光束に分割され、そして、偏光変換素子４１５によって１種類の偏光光に変換され、第２レンズアレイ４１６に入射する。なお、このような偏光変換素子４１５は、例えば特開平８−３０４７３９号公報に紹介されている。
偏光変換素子４１５によって１種類の偏光光に変換された各部分光束は、集光レンズ４１７に集光し、最終的に電気光学装置４４を構成する３枚の光変調装置（ライトバルブ）としての液晶パネル４４１（色光毎に液晶パネル４４１Ｒ，４４１Ｇ，４４１Ｂと示す）上にほぼ重畳される。
【００２６】
色分離光学系４２は、２枚のダイクロイックミラー４２１，４２２と、反射ミラー４２３とを備え、ダイクロイックミラー４２１、４２２によりインテグレータ照明光学系４１から射出された複数の部分光束を赤、緑、青の３色の色光に分離する機能を有している。
【００２７】
リレー光学系４３は、入射側レンズ４３１、リレーレンズ４３３、および反射ミラー４３２、４３４を備え、色分離光学系４２で分離された色光、例えば、青色光を液晶パネル４４１Ｂまで導く機能を有している。
【００２８】
電気光学装置４４は、３枚の光変調装置となる液晶パネル４４１Ｒ，４４１Ｇ，４４１Ｂを備え、これらは、例えば、ポリシリコンＴＦＴをスイッチング素子として用いたものであり、色分離光学系４２で分離された各色光は、これら３枚の液晶パネル４４１Ｒ，４４１Ｇ，４４１Ｂによって、画像情報に応じて変調されて光学像を形成する。
【００２９】
クロスダイクロイックプリズム４５は、３枚の液晶パネル４４１Ｒ，４４１Ｇ，４４１Ｂから射出された各色光ごとに変調された画像を合成してカラー画像を形成するものである。なお、クロスダイクロイックプリズム４５には、赤色光を反射する誘電体多層膜と青色光を反射する誘電体多層膜とが、４つの直角プリズムの界面に沿って略Ｘ字状に形成され、これらの誘電体多層膜によって３つの色光が合成される。そして、クロスダイクロイックプリズム４５で合成されたカラー画像は、投写レンズ４６から射出され、スクリーン上に拡大投写される。
【００３０】
以上説明した各光学系４１〜４５は、図６に示す合成樹脂製のライトガイド４７に収容される。すなわち、このライトガイド４７には、光源装置４１３を覆う光源保護部４７１の他、前述の各光学部品４１４〜４１６，４２１〜４２３，４３１〜４３４を上方からスライド式に嵌め込む溝部４７２〜４８１が設けられている。ここで、溝部４７３には、一体にユニット化された偏光変換素子４１５および第２レンズアレイ４１６が嵌め込まれる。そして、ライトガイド４７には、図３に示すカバー４８が取り付けられている。
【００３１】
また、ライトガイド４７の光出射側にはヘッド部４９が形成されている。ヘッド部４９の一端側に液晶パネル４４１Ｒ，４４１Ｇ，４４１Ｂが取り付けられたクロスダイクロイックプリズム４５が固定され、他端側の半円筒状部分に沿ったフランジ上に投写レンズ４６が固定されている。
【００３２】
〔３．冷却構造〕
図１ないし図３において、プロジェクタ１内には、投写レンズ４６脇および外装ケース２底面の吸気口２Ａから吸引された冷却空気が排気口２Ｄから排気される第１冷却系統Ａ、外装ケース２の側面に設けられた吸気口２Ｂから吸引された冷却空気が排気口２Ｅから排気される第２冷却系統Ｂ、外装ケース２の底面に設けられた吸気口２Ｃから吸引された冷却空気が排気口２Ｅから排気される第３冷却系統Ｃが形成されている。
【００３３】
第１冷却系統Ａでは、主電源３１の投写レンズ４６側に軸流吸気ファン５１（図３中に一点鎖線で図示）が設けられ、バラスト３２の光源装置４１３側に第１シロッコファン５２が設けられている。
軸流吸気ファン５１の駆動によって投写レンズ４６脇および吸気口２Ａから吸引された冷却空気は、主電源３１を冷却した後に第１シロッコファン５２に吸引される。また、この第１シロッコファン５２の吸引作用により、吸気口２Ａからの冷却空気の一部は、バラスト３２を冷却しながらシロッコファン５２側に流れ、吸引される。第１シロッコファン５２から吐き出された冷却空気は、ライトガイド４７に設けられた吸気用切欠部４７１Ａ（図６）から光源保護部４７１内に入り込んで光源装置４１３を後方から冷却し、排気用切欠部４７１Ｂ（図６）から排気され、最終的に排気口２Ｄから外装ケース２外に排気される。
【００３４】
第２冷却系統Ｂでは、図７、図８の断面図に示すように、投写レンズ４６の下側に第２シロッコファン５３が設けられている。この第２シロッコファン５３は、吸気口２Ｂから電気光学装置４４の下方まで冷却空気を導くダクト部材６０（図６）の途中に配置されている。
吸気口２Ｂから吸引された吸気は、ダクト部材６０に導かれて第２シロッコファン５３に吸い込まれ、外装ケース２の底面に沿って吐き出された後、電気光学装置４４を冷却する。この後に冷却空気は、光学ユニット４の上部に配置された図示しないドライバーボードを冷却しながら背面側の軸流排気ファン５４に向かい、この排気ファン５４で排気口２Ｅから排気される。
なお、この第２冷却系統Ｂの詳細については、後述する。
【００３５】
第３冷却系統Ｃでは、図６中に一点鎖線で示すように、ライトガイド４７の下面における外装ケース２底面の吸気口２Ｃ（図２、図４）に対応した位置に第３シロッコファン５５が設けられている。吸気口２Ｃは、個々の孔を極力小径とすることで、プロジェクタ１の設置箇所上にある塵や埃を吸い込み難くしている。
吸気口２Ｃから第３シロッコファン５５に吸い込まれた冷却空気は、外装ケース２の底面およびライトガイド４７の下面間に形成されるダクト状部分を通って光源装置４１３側に吐き出された後、ライトガイド４７の溝部４７３に対応して設けられた吸気用開口４７３Ａ（図６）に導かれ、この溝部４７３に配置される前述したユニット（偏光変換素子４１５および第２レンズアレイ４１６からなるユニット）を下方から上方に向かって冷却する。この後に冷却空気は、カバー４８の排気用開口４８Ａ（図３）から排気され、最終的に背面側の軸流排気ファン５４で排気口２Ｅから排気される。
【００３６】
〔４．第２冷却系統の詳細な構成〕
図７ないし図１０において、投写レンズ４６の下方に配置された第２シロッコファン５３は、吸込口５３１が投写レンズ４６の周面に対向する向きで、かつ吐出口５３２が投写レンズ４６の後方に向くように配置され、上方からのネジでロアーケース２２の底面部２２１に固定されている。
【００３７】
ダクト部材６０は、合成樹脂製とされ、図１０に示すように、第２シロッコファン５３を収容する収容部６１と、収容部６１からロアーケース２２の吸気口２Ｂ側に延設された吸込側ダクト６２と、収容部６１から電気光学装置４４側に延設された吐出側ダクト６３とが一体となった平面略Ｌ字状に形成されている。
【００３８】
収容部６１の上面は、投写レンズ４６の周面に沿った曲面からなる凹部６１１となっており、この凹部６１１を投写レンズ４６に近接対向させることで、第２シロッコファン５３の吸込口５３１上の空間が確実に確保されるようになっている。
吸込側ダクト６２は、吸気口２Ｂ側に拡開したコ字形状の開口部分を有し、吸気口２Ｂから流入した冷却空気を第２シロッコファン５３の吸込口５３１に導いている。
【００３９】
吐出側ダクト６３は、上方に開口した椀形状とされ、周方向に連続した上部側の鉛直面部６３１と、底部６３２と、鉛直面部６３１および底部６３２を連続させる滑らかな曲面部６３３とで形成され、この曲面部６３３が方向変換部になっている。すなわち、第２シロッコファン５３の吐出口５３２から水平方向に吐き出された冷却空気は、曲面部６３３に沿って鉛直方向に流れるようになり、電気光学装置４４の液晶パネル４４１Ｒ，４４１Ｇ，４４１Ｂを下方から上方に向けて冷却している。
【００４０】
このとき、図７、図９に示すように、液晶パネル４４１Ｇ，４４１Ｒ，４４１Ｂとクロスダイクロイックプリズム４５との間には隙間が形成されており、この隙間を通っても冷却空気が下方から上方に流れることで、液晶パネル４４１Ｇ，４４１Ｒ，４４１Ｂを両面側から冷却することが可能である。
【００４１】
〔５．実施形態の効果〕
(１)本実施形態の第２冷却系統Ｂでは、吸気用のファンとして、吸込口５３１が投写レンズ４６側と対向した第２シロッコファン５３が用いられ、さらに、吸気口２Ｂがロアーケース２２の側面部２２２に設けられているので、外装ケース２の底面部２２１や上面部２１１に吸気口を設ける必用がない。このため、プロジェクタ１の設置箇所上の塵、埃を吸い込む心配がなく、また、塵、埃を吸気口２Ｂ回りに付着し難くでき、吸気口２Ｂにフィルターを取り付けなくとも防塵性能を確保できる。また、フィルターを取り付けた場合でも、塵、埃が吸気口回りに付着し難いのでフィルターの交換をする回数を減らすことが可能となり、場合によっては交換不要とすることが可能となる。フィルターの交換をする必要がなくなれば、フィルターの交換構造は不要となる。
フィルターもしくは交換構造が不要になれば、、部品点数が低減するうえ、吸気口２Ｂ回りの構造も簡略化でき、コストを削減できる。
また、吸気口を外装ケースの側面部に設け、シロッコファンの吸気口を投写レンズと対向させているため、吸気に伴う空気抵抗を低減することができ、装置の小型化を促進することが可能となる。
【００４２】
さらに、余剰スペースになり易い投写レンズ４６の下方スペースを利用して第２シロッコファン５３が設けられているから、配置スペースの有効利用を図ることができるとともに、他の内部部品のレイアウト設計の自由度を大きくでき、プロジェクタ１の小型化を促進できる。
【００４３】
(２)ダクト部材６０には、冷却空気を吸気口２Ｂから第２シロッコファン５３の吸込口５３１に導く吸込側ダクト６２が設けられているため、第２シロッコファン５３の吸込口５３１へ冷却空気を効率よく流入させることができ、液晶パネル４４１Ｒ，４４１Ｇ，４４１Ｂの冷却効率を向上させることができる。
【００４４】
(３)ダクト部材６０には、冷却空気を第２シロッコファン５３の吐出口５３２から液晶パネル４４１Ｒ，４４１Ｇ，４４１Ｂの下方に導く吐出側ダクト６３も設けられているので、冷却空気を第２シロッコファン５３の吐出口５３２から液晶パネル４４１Ｒ，４４１Ｇ，４４１Ｂへ漏れなく確実に送ることができ、冷却効率をさらに向上させることができる。
【００４５】
(４)ダクト部材６０では、吸込側ダクト６２と吐出側ダクト６３とが一体に形成されているから、それぞれのダクト６２，６３を個別に扱うよりも取扱性を良好にでき、ロアーケース２２への組付を容易にできる。
【００４６】
(５)ダクト部材６０の吐出側ダクト６３には、第２シロッコファン５３から吐き出された冷却空気の流れの向きを鉛直方向に変える曲面部６３３が設けられているので、冷却空気の流れの方向を下方から上方に確実に変えることができ、液晶パネル４４１Ｒ，４４１Ｇ，４４１Ｂを一層良好に冷却できる。
【００４７】
(６)滑らかな曲面部６３３で冷却空気の流れ方向が変えられるため、冷却空気をスムーズに流すことができ、ダクト部材６０内での乱流やノイズ等の発生を抑制できる。
【００４８】
(７)ダクト部材６０の収容部６１の上面部分は、投写レンズ４６の周面と近接対向した曲面からなる凹部６１１になっているので、第２シロッコファン５３の吸込口５３１上の空間をダクト部材６０の内部空間として最大限に利用でき、冷却空気を吸込口５３１に無理なく送り込むことができる。
【００４９】
(８)第１〜第３冷却系統Ａ〜Ｃでは、冷却空気を吸引するのにシロッコファン５２，５３，５５が用いられているので、これらの代わりに軸流ファンを用いるのに比べると、ファンの回転による騒音を格段に小さくできる。
【００５０】
〔６．変形例〕
なお、本発明は、前記実施形態に限定されるものではなく、本発明の目的を達成できる他の構成等を含み、以下に示すような変形等も本発明に含まれる。
【００５１】
例えば、前記実施形態の第２冷却系統Ｂでは、ダクト部材６０の収容部６１上面は投写レンズ４６の周面形状に応じた曲面からなる凹部６１１になっていたが、このような上面部分を単なる平坦面で形成してもよい。
【００５２】
また、ダクト部材６０の吐出側ダクト６３では、曲面部６３３によって方向変換部が形成されていたが、例えば、鉛直面部６３１のみを設け、これを方向変換部としてもよい。ただし、方向変換部を曲面部６３３のように形成することで、冷却空気の流れがスムーズになるという効果がある。
【００５３】
なお、方向変換部の形状はこれらに限定されるものではなく、冷却空気の流れを分割案内板等を用いて幾つかに分割し、よって冷却空気を任意の方向に案内して流す場合などには、このような分割案内板で方向変換部を形成してもよい。
【００５４】
ダクト部材６０には、吸込側ダクト６２と吐出側ダクト６３とが一体に形成されていたが、これらの、吸込側ダクトと吐出側ダクトとをそれぞれ別体の部材で構成してもよい。そして、このような場合には、例えば、吸込側の部材をシロッコファンの吸込口近傍まで設けることにより、前記実施形態での収容部６１に相当する部材を省いてもよい。
【００５５】
なお、本発明では、ダクトは必須の構成ではなく、吸込側や吐出側のダクトを用いない場合でも、本発明に含まれる。
【００５６】
第２シロッコファン５３は投写レンズ４６の下方に配置されていたが、本発明に係るシロッコファンとしては、投写レンズの上方に配置し、その吸込口を下方に向けて投写レンズと対向させてもよい。
【００５７】
前記実施形態の第３冷却系統Ｃでは、吸気口２Ｃから冷却空気を吸引する第３シロッコファン５５が用いられていたが、例えば、第２冷却系統Ｂでの冷却空気の一部をロアーケース２２とライトガイド４７との間を流通させて光源装置４１３の前面側に送り込んでもよい。こうすることで、底面部２２１に設けられた吸気口２Ｃを不要にできるので、塵や埃等の吸い込みをより確実に無くすことができる。
【００５８】
前記実施形態において、外装ケース２の側面に設けられた吸気口２Ｂにフィルターを設けてもよい。このようなフィルターを設けることによって、より防塵機能を向上させることが可能となる。さらに、このフィルターを取り外すための交換構造を設けるようにしても良い。
【００５９】
前記実施形態では、３つの光変調装置を用いたプロジェクタの例のみを挙げたが、本発明は、１つの光変調装置のみを用いたプロジェクタ、２つの光変調装置を用いたプロジェクタ、あるいは、４つ以上の光変調装置を用いたプロジェクタにも適用可能である。また、前記実施形態では、光変調装置として液晶パネルを用いていたが、マイクロミラーを用いたデバイスなど、液晶以外の光変調装置を用いても良い。さらに、前記実施形態では、光入射面と光出射面とが異なる透過型の光変調装置を用いていたが、光入射面と光出射面とが同一となる反射型の光変調装置を用いても良い。さらにまた、前記実施形態では、スクリーンを観察する方向から投写を行なうフロントタイプのプロジェクタの例のみを挙げたが、本発明は、スクリーンを観察する方向とは反対側から投写を行なうリアタイプのプロジェクタにも適用可能である。
【００６０】
【発明の効果】
以上に述べたように、本発明によれば、吸気用のファンとして、吸込口を投写レンズの周面と対向させたシロッコファンが用いられ、また、外部から冷却空気を吸入するための吸気口が外装ケースの側面部に設けられているので、外装ケースの底面部や上面部に吸気口を設ける必要がない。このため、プロジェクタの設置箇所上の塵、埃を吸い込む心配がなく、また、塵、埃を吸気口回りに付着し難くでき、フィルターを取り付けなくとも防塵性能を確保できる。また、フィルターを取り付けた場合でも、塵、埃が吸気口回りに付着し難いのでフィルターの交換回数を減らすことが可能となり、場合によっては交換不要とすることが可能となる。フィルターの交換をする必要がなくなれば、フィルターの交換構造は不要となる。
フィルターもしくは交換構造が不要になれば、部品点数が低減するうえ、吸気口回りの構造も簡略化でき、コストを削減できる。また、吸気口を外装ケースの側面部に設け、シロッコファンの吸気口を投写レンズと対向させているため、吸気に伴う空気抵抗を低減することができ、装置の小型化を促進することが可能となる。さらに、余剰スペースになり易い投写レンズの上方または下方のスペースにシロッコファンが設けられているので、配置スペースの有効利用を図ることができるとともに、他の内部部品のレイアウト設計の自由度を大きくでき、プロジェクタの小型化を促進できるという効果がある。
【図面の簡単な説明】
【図１】本発明の一本実施形態に係るプロジェクタを上方から見た全体斜視図である。
【図２】プロジェクタを下方から見た全体斜視図である。
【図３】プロジェクタの内部を示す斜視図である。
【図４】前記実施形態の外装ケースの分解斜視図である。
【図５】プロジェクタの各光学系を模式的に示す平面図である。
【図６】プロジェクタの光学ユニットの構成部材を示す斜視図である。
【図７】図１の矢印VII−VIIから見た縦断面図である。
【図８】図１の矢印VIII−VIIIから見た縦断面図である。
【図９】前記実施形態の一冷却系統を示す斜視図である。
【図１０】前記冷却系統でのシロッコファンとダクト部材とを示す分解斜視図である。
【符号の説明】
１  プロジェクタ
２  外装ケース
２Ｂ  吸気口
４６  投写レンズ
５３  第２シロッコファン
６０  ダクト部材
６２  吸込側ダクト
６３  吐出側ダクト
２２２  側面部
４４１，４４１Ｒ，４４１Ｇ，４４１Ｂ  光変調装置である液晶パネル
５３１  吸込口
５３２  吐出口
６１１  凹部
６３３  方向変換部である曲面部
【図１】
0003791303.tif 000002
【図２】
0003791303.tif 000003
【図３】
0003791303.tif 000004
【図４】
0003791303.tif 000005
【図５】
0003791303.tif 000006
【図６】
0003791303.tif 000007
【図７】
0003791303.tif 000008
【図８】
0003791303.tif 000009
【図９】
0003791303.tif 000010
【図１０】
0003791303.tif 000011